(57)【要約】【課題】発光素子を配設した基板や照明装置全体を道路進行方向前側へ傾けることや遮光板を別途設けることなく、プロビーム照明（非対称照明）を実現し、かつ、ドライバーが眩しさを感じない程度にドライバーに照明装置の位置を認識させてトンネル内でのドライバーの誘導性を確保するトンネル内道路用照明装置を提供すること。【解決手段】一方向へ通行するトンネルＴ内に配設してトンネルＴ内の路面Ｇを照らすトンネル内道路用照明装置１００において、路面Ｇに対して光Ｌを放つ発光素子（１１０）と、この発光素子（１１０）の路面側に配設される集光レンズ１２０とを備え、この集光レンズ１２０の中心１２０Ｃが、発光素子（１１０）の中心１１０Ｃに対して道路進行方向前側に偏倚して構成されていることを特徴とするトンネル内道路用照明装置１００。【選択図】図３
2014229478.tif 000002
【特許請求の範囲】
【請求項１】
一方向へ通行するトンネル内に配設してトンネル内の路面を照らすトンネル内道路用照明装置において、
前記路面に対して光を放つ発光素子と、
該発光素子の路面側に配設される集光レンズとを備え、
該集光レンズの中心が、前記発光素子の中心に対して道路進行方向前側に偏倚して構成されていることを特徴とするトンネル内道路用照明装置。
【請求項２】
前記集光レンズが、前記トンネル内の道路幅方向に延設された複数の光拡散用溝を有していることを特徴とする請求項１に記載のトンネル内道路用照明装置。
【請求項３】
前記発光素子より路面側に配設された光透過性シート部材を備え、該光透過性シート部材が、前記道路幅方向に延設された複数の光拡散用溝を有していることを特徴とする請求項１または請求項２に記載のトンネル内道路用照明装置。
【請求項４】
前記発光素子が、発光ダイオードであることを特徴とする請求項１乃至請求項３のいずれか１つに記載のトンネル内道路用照明装置。
【請求項５】
前記発光素子が、前記トンネル内の道路幅方向中央を基準とした道路幅方向一端側の路面より上方に配設され、
前記集光レンズの中心が、前記発光素子の中心に対して道路幅方向他端側にも偏倚して構成されていることを特徴とする請求項１乃至請求項４のいずれか１つに記載のトンネル内道路用照明装置。
【発明の詳細な説明】
【技術分野】
【０００１】
本発明は、一方向へ通行するトンネル内に配設してトンネル内の路面を照らすトンネル内道路用照明装置に関する。
【背景技術】
【０００２】
従来、一方向へ通行するトンネル内に配設してトンネル内の路面を照らすトンネル内道路用照明装置が知られている（例えば、特許文献１参照）。
このような従来のトンネル内道路用照明装置として、例えば、図９（Ａ）乃至図９（Ｃ）に示すようなトンネル内道路用照明装置７００がある。
ここで、図９（Ａ）は、従来技術のトンネル内道路用照明装置７００の概略を示す図であり、図９（Ｂ）は、従来技術のトンネル内道路用照明装置７００の配光分布図であり、図９（Ｃ）は、従来技術のトンネル内道路用照明装置７００が路面を照らした際の路面Ｇの平面照度分布図である。
【０００３】
従来のトンネル内道路用照明装置７００は、図９（Ａ）に示すように、発光ダイオード７１０を備えていた。
発光ダイオード７１０の向きが鉛直方向下方を基準として道路進行方向前側に傾けられた状態で、発光ダイオード７１０が取り付けられていた。
【０００４】
従来のトンネル内道路用照明装置７００では、図９（Ｂ）に示すように、発光ダイオード７１０の配光である光度（光Ｌの放射強度）の分布のピークは、発光ダイオード７１０を基準とした垂直方向であった。
ここで、図９（Ｂ）の縦軸が表すのは、光度（ｃｄ）であり、横軸が表すのは、発光ダイオード７１０の垂直方向を０°としたときの発光ダイオード７１０に対する道路進行方向Ｄでの傾きである。
この傾きは、−側が道路進行方向後側であり、＋側が道路進行方向前側である。
【０００５】
そして、図９（Ｃ）に示すように、トンネル内道路用照明装置７００が路面Ｇを照らすと、トンネル内道路用照明装置７００より道路進行方向前側の一部の箇所の照度が高くなる。
【先行技術文献】
【特許文献】
【０００６】
【特許文献１】特開２０１２−０３８５３２号公報
【発明の概要】
【発明が解決しようとする課題】
【０００７】
しかしながら、上述した従来のトンネル内道路用照明装置７００は、発光ダイオード７１０の向きが鉛直方向下方を基準として道路進行方向前側に傾けられた状態で、発光ダイオード７１０が取り付けられていた構造であったため、トンネル内道路用照明装置７００の手前ではトンネルＴ内を走行する自動車のドライバーがトンネル内道路用照明装置７００自体の発光を視認できずトンネルＴ内でのドライバーの誘導性を確保できないという問題や、発光ダイオード７１０を配設した基板や照明装置全体を道路進行方向前側へ傾けるための部品が必要で構造が複雑化するという問題があった。
【０００８】
そこで、本発明は、前述したような従来技術の問題を解決するものであって、すなわち、本発明の目的は、発光素子を配設した基板や照明装置全体を道路進行方向前側へ傾けることや遮光板を別途設けることなく、プロビーム照明（非対称照明）を実現し、かつ、ドライバーが眩しさを感じない程度にドライバーに照明装置の位置を認識させてトンネル内でのドライバーの誘導性を確保するトンネル内道路用照明装置を提供することである。
【課題を解決するための手段】
【０００９】
本請求項１に係る発明は、一方向へ通行するトンネル内に配設してトンネル内の路面を照らすトンネル内道路用照明装置において、前記路面に対して光を放つ発光素子と、該発光素子の路面側に配設される集光レンズとを備え、該集光レンズの中心が、前記発光素子の中心に対して道路進行方向前側に偏倚して構成されていることにより、前述した課題を解決するものである。
【００１０】
本請求項２に係る発明は、請求項１に記載されたトンネル内道路用照明装置の構成に加えて、前記集光レンズが、前記トンネル内の道路幅方向に延設された複数の光拡散用溝を有していることにより、前述した課題をさらに解決するものである。
【００１１】
本請求項３に係る発明は、請求項１または請求項２に記載されたトンネル内道路用照明装置の構成に加えて、前記発光素子より路面側に配設された光透過性シート部材を備え、該光透過性シート部材が、前記道路幅方向に延設された複数の光拡散用溝を有していることにより、前述した課題をさらに解決するものである。
【００１２】
本請求項４に係る発明は、請求項１乃至請求項３のいずれか１つに記載されたトンネル内道路用照明装置の構成に加えて、前記発光素子が、発光ダイオードであることにより、前述した課題をさらに解決するものである。
【００１３】
本請求項５に係る発明は、請求項１乃至請求項４のいずれか１つに記載されたトンネル内道路用照明装置の構成に加えて、前記発光素子が、前記トンネル内の道路幅方向中央を基準とした道路幅方向一端側の路面より上方に配設され、前記集光レンズの中心が、前記発光素子の中心に対して道路幅方向他端側にも偏倚して構成されていることにより、前述した課題をさらに解決するものである。
【発明の効果】
【００１４】
本発明のトンネル内道路用照明装置は、一方向へ通行するトンネル内に配設することにより、トンネル内の路面を照らすことができるばかりでなく、以下のような特有の効果を奏することができる。
【００１５】
本請求項１に係る発明のトンネル内道路用照明装置によれば、路面に対して光を放つ発光素子と、この発光素子の路面側に配設される集光レンズとを備え、この集光レンズの中心が、発光素子の中心に対して道路進行方向前側に偏倚して構成されていることにより、発光素子を基準とした配光である光度（光の放射強度）の分布の山が道路進行方向前側に偏って道路進行方向後側へ放射される光の量が僅かとなるため、トンネル内の路面の照度を維持しつつ、プロビーム照明（非対称照明）を実現し、かつ、ドライバーが眩しさを感じない程度にドライバーに照明装置の位置を認識させてトンネル内でのドライバーの誘導性を確保できる。
さらに、発光素子に対する集光レンズの位置を変えるだけで道路進行方向後側へ放射される光の量が僅かとなるため、発光素子を配設した基板や照明装置全体を道路進行方向前側へ傾けることや遮光板を別途設けることなく路面の照度の維持とドライバーの誘導性の確保とを両立できる。
【００１６】
また、光度（光の放射強度）の分布のピークより道路進行方向後側の曲線が、従来技術の偏倚していない構造と比べて、緩やかになり曲線の水準が低くなり、発光位置から距離が最も近くて照度が最も高くなりやすい道路進行方向での照明装置設置位置近傍の照度が、従来技術の偏倚していない構造と比べて、低くなるため、道路進行方向での路面の明暗のムラを低減して照度均斉度を高めることができる。
ここで、「照度均斉度」とは、照度分布の均一の程度を表す値をいい、具体的には最小照度を最大照度で割った値をいう。
参考までに「輝度均斉度」には、障害物の見え方に影響する総合均斉度（Ｕo）と運転者の走行快適性に影響する車線軸均斉度（Ｕｌ）との２つがあり、「照度均斉度」も自動車運転の安全性に大きく影響する。
【００１７】
本請求項２に係る発明のトンネル内道路用照明装置によれば、請求項１に係る発明が奏する効果に加えて、集光レンズが、トンネル内の道路幅方向に延設された複数の光拡散用溝を有していることにより、集光レンズの表面の凹凸の斜面で光が道路進行方向前後に拡散されるため、道路進行方向隣の他の道路用照明装置との間で道路進行方向での路面の明暗のムラを低減して照度均斉度を高めることができる。
【００１８】
本請求項３に係る発明のトンネル内道路用照明装置によれば、請求項１または請求項２に係る発明が奏する効果に加えて、発光素子より路面側に配設された光透過性シート部材を備え、この光透過性シート部材が、道路幅方向に延設された複数の光拡散用溝を有していることにより、シート部材の面の凹凸の斜面で光が道路進行方向前後により拡散されるため、道路進行方向隣の他の道路用照明装置との間で道路進行方向での路面の明暗のムラをより低減して照度均斉度をより高めることができる。
【００１９】
本請求項４に係る発明のトンネル内道路用照明装置によれば、請求項１乃至請求項３のいずれか１つに係る発明が奏する効果に加えて、発光素子が、発光ダイオードであることにより、発光素子が水銀ランプやハロゲンランプなどの電球である場合と比べて同程度の明るさでも発光素子の大きさが小さくなり寿命が長くなるため、装置の大きさを小型化できるとともにメンテナンスの負担を低減できる。
【００２０】
本請求項５に係る発明のトンネル内道路用照明装置によれば、請求項１乃至請求項４のいずれか１つに係る発明が奏する効果に加えて、発光素子が、トンネル内の道路幅方向中央を基準とした道路幅方向一端側の路面より上方に配設され、集光レンズの中心が、発光素子の中心に対して道路幅方向他端側にも偏倚して構成されていることにより、道路幅方向他端側に偏倚していない構造と比べて、発光素子を基準とした配光である光度（光の放射強度）の分布のピークが道路幅方向他端側に偏って道路幅方向他端側の路面の照度が高くなり道路幅方向一端側の路面の照度が低くなるため、道路幅方向での路面の明暗のムラを低減して照度均斉度を高めることができる。
【００２１】
言い換えると、光度分布のピークの強い光の射す位置が道路幅方向他端の内側近傍となり、発光位置から距離が最も遠くて照度が最も低くなりやすい道路幅方向他端の内側近傍の照度が、道路幅方向他端側に偏倚していない構造と比べて、高くなるため、道路幅方向での路面の明暗のムラを低減して照度均斉度を高めることができる。
つまり、運転者による路面の障害物の視認性を高めて安全性を高めることができる。
【００２２】
さらに、光度分布のピークより道路幅方向他端側の曲線の傾きが、道路幅方向他端側に偏倚していない構造と比べて、急になり道路幅方向他端よりも外側へはみ出る光の量が少なくなるため、照明範囲の無駄を減らして照明効率を上げることができる。
また、道路幅方向他端よりも外側へはみ出る光による弊害として、例えば、道路幅方向他端よりも外側へはみ出た光がトンネル内壁面に当たってこのトンネル内壁面による光の乱反射などを防止して自動車運転の安全性を高めることができる。
【００２３】
他方、光度分布のピークより道路幅方向一端側の曲線の傾きが、道路幅方向他端側に偏倚していない構造と比べて、緩やかになり曲線の水準が低くなり、発光位置から距離が最も近くて照度が最も高くなりやすい道路幅方向一端側の照度が、道路幅方向他端側に偏倚していない構造と比べて、低くなるため、道路幅方向での路面の明暗のムラを低減して照度均斉度を高めることができる。
【図面の簡単な説明】
【００２４】
【図１】本発明の第１実施例であるトンネル内道路用照明装置を据え付けたトンネルを示す斜視図。
【図２】図１のトンネル内を進行方向前側へ向かって視た断面図。
【図３】本発明の第１実施例である道路用照明装置を示す正面図および側面図。
【図４】本発明の第１実施例である道路用照明装置の配光分布図および路面照度分布図。
【図５】本発明の第１実施例と比較例とを比較して示す路面の平面照度分布図。
【図６】本発明の第２実施例であるトンネル内道路用照明装置、その配光分布および路面照度分布図。
【図７】本発明の第３実施例であるトンネル内道路用照明装置を示す図。
【図８】本発明の第４実施例であるトンネル内道路用照明装置、その配光分布および路面照度分布図。
【図９】従来技術のトンネル内道路用照明装置を示す図、配光分布図および路面の平面照度分布図。
【発明を実施するための形態】
【００２５】
本発明は、一方向へ通行するトンネル内に配設してトンネル内の路面を照らすトンネル内道路用照明装置において、路面に対して光を放つ発光素子と、この発光素子の路面側に配設される集光レンズとを備え、この集光レンズの中心が、発光素子の中心に対して道路進行方向前側に偏倚して構成されていることにより、トンネル内の路面の照度を維持しつつ、プロビーム照明（非対称照明）を実現し、かつ、ドライバーが眩しさを感じない程度にドライバーに照明装置の位置を認識させてトンネル内でのドライバーの誘導性を確保するとともに、発光素子を配設した基板や照明装置全体を道路進行方向前側へ傾けることや遮光板を別途設けることなく路面の照度の維持とドライバーの誘導性の確保とを両立するものであれば、その具体的な実施態様は、如何なるものであっても構わない。
【００２６】
また、発光素子は、発光するものであれば如何なるものであっても構わない。
さらに、集光レンズは、光を集める作用を有していれば、ドーム型の凸レンズでなくても細かな溝を有するシート型のフレネルレンズでもよい。
また、トンネル内道路用照明装置の据え付け姿勢は、路面に対して傾いていてもよいし、平行でもよい。
【実施例１】
【００２７】
以下に、本発明の第１実施例であるトンネル内道路用照明装置１００について、図１乃至図５（Ｂ）に基づいて説明する。
ここで、図１は、本発明の第１実施例であるトンネル内道路用照明装置１００を据え付けたトンネルＴを示す斜視図であり、図２は、図１のトンネルＴ内を進行方向前側へ向かって視た断面図であり、図３（Ａ）は、図２に示す符号３Ａから視たトンネル内道路用照明装置１００を示す図であり、図３（Ｂ）は、図３（Ａ）に示す符号３Ｂから視たトンネル内道路用照明装置１００を示す図であり、図４（Ａ）は、本発明の第１実施例であるトンネル内道路用照明装置１００の配光分布図であり、図４（Ｂ）は、本発明の第１実施例であるトンネル内道路用照明装置１００が路面Ｇを照らした際の路面照度分布図であり、図５（Ａ）は、本発明の第１実施例であるトンネル内道路用照明装置１００が路面Ｇを照らした際の路面Ｇの平面照度分布図であり、図５（Ｂ）は、比較対象としての従来技術の道路用照明装置７００が路面Ｇを照らした際の路面Ｇの平面照度分布図である。
【００２８】
本発明の第１実施例であるトンネル内道路用照明装置１００は、図１乃至図５（Ａ）に示すように、トンネルＴ内の道路に光Ｌを照らすために、一方向へ通行するトンネルＴ内のトンネル内壁面ＴＷに据え付けられている。
図１に示すように、トンネル内道路用照明装置１００は、道路幅方向中央Ｃを基準とした道路幅方向両側で路面Ｇより上方の位置に道路進行方向Ｄに複数配設されている。
【００２９】
そのうち１つのトンネル内道路用照明装置１００について説明する。
図２に示すように、１つのトンネル内道路用照明装置１００は、道路幅方向中央Ｃを基準とした道路幅方向一端Ｅ１側の路面Ｇより上方に配設して路面Ｇを照らすように構成されている。
言い換えると、１つのトンネル内道路用照明装置１００は、道路幅方向中央Ｃを基準とした道路幅方向一端Ｅ１側から他端側へ向かって路面Ｇを照らすように構成されている。
以下、道路幅方向中央Ｃに対して、１つのトンネル内道路用照明装置１００が配設されている側を道路幅方向一端Ｅ１側として説明する。
【００３０】
また、図３（Ａ）および図３（Ｂ）に示すように、路面Ｇに対して光Ｌを放つ発光素子の一例である発光ダイオード１１０と、この発光ダイオード１１０の路面Ｇ側に配設される集光レンズ１２０とを備えている。
さらに、この集光レンズ１２０の中心１２０Ｃが、発光ダイオード１１０の中心１１０Ｃに対して道路進行方向前側に偏倚して構成されている。
【００３１】
これにより、図４（Ａ）に示すように、従来技術の偏倚していない構造（破線で示す曲線）と比べて、発光ダイオード１１０を基準とした配光である光度（光Ｌの放射強度）の分布の山が道路進行方向前側に偏って道路進行方向後側へ放射される光Ｌの量が僅かとなる。
ここで、図４（Ａ）の縦軸が表すのは、光度（ｃｄ）であり、横軸が表すのは、発光ダイオード１１０の垂直方向を０°としたときの発光ダイオード１１０に対する道路進行方向Ｄでの傾きである。
この傾きは、−側が道路進行方向後側であり、＋側が道路進行方向前側である。
【００３２】
さらに、発光ダイオード１１０に対する集光レンズ１２０の位置を変えるだけで道路進行方向後側へ放射される光Ｌの量が僅かとなる。
また、光度（光Ｌの放射強度）の分布のピークより道路進行方向後側の曲線が、従来技術の偏倚していない構造（破線で示す曲線）と比べて、緩やかになり曲線の水準が低くなる。
【００３３】
そして、図４（Ｂ）、図５（Ａ）に示すように、発光位置から距離が最も近くて照度が最も高くなりやすい道路進行方向Ｄでの照明装置設置位置近傍の照度が、従来技術の偏倚していない構造（図４（Ｂ）の破線で示す曲線および図５（Ｂ））と比べて、低くなる。
ここで、図４（Ｂ）の縦軸が表すのは、路面照度（Ｌｘ）であり、横軸が表すのは、道路進行方向Ｄでの路面Ｇ上の位置である。
また、図５（Ａ）は、図４（Ｂ）の実線と対応しており、図５（Ｂ）は、図４（Ｂ）の鎖線と対応している。
【００３４】
このようにして得られた本発明の第１実施例であるトンネル内道路用照明装置１００は、路面Ｇに対して光Ｌを放つ発光素子の一例である発光ダイオード１１０と、この発光ダイオード１１０の路面Ｇ側に配設される集光レンズ１２０とを備え、この集光レンズ１２０の中心１２０Ｃが、発光ダイオード１１０の中心１１０Ｃに対して道路進行方向前側に偏倚して構成されていることにより、トンネルＴ内の路面Ｇの照度を維持しつつ、プロビーム照明（非対称照明）を実現し、かつ、ドライバーが眩しさを感じない程度にドライバーにトンネル内道路用照明装置１００の位置を認識させてトンネルＴ内でのドライバーの誘導性を確保でき、発光素子を配設した基板や照明装置全体を道路進行方向前側へ傾けることや遮光板を別途設けることなく路面Ｇの照度の維持とドライバーの誘導性の確保とを両立できるとともに、道路進行方向Ｄでの路面Ｇの明暗のムラを低減して照度均斉度を高めることができる。
【００３５】
さらに、発光素子が、発光ダイオード１１０であることにより、トンネル内道路用照明装置１００の大きさを小型化できるとともにメンテナンスの負担を低減できるなど、その効果は甚大である。
【実施例２】
【００３６】
続いて、本発明の第２実施例であるトンネル内道路用照明装置２００について、図６（Ａ）乃至図６（Ｄ）に基づいて説明する。
ここで、図６（Ａ）は、本発明の第２実施例のトンネル内道路用照明装置２００の要部を示す図であり、図６（Ｂ）は、図６（Ａ）に示す符号６Ｂ−６Ｂで視た断面図であり、図６（Ｃ）は、本発明の第２実施例であるトンネル内道路用照明装置２００の配光分布図であり、図６（Ｄ）は、本発明の第２実施例であるトンネル内道路用照明装置２００が路面Ｇを照らした際の路面照度分布図である。
【００３７】
第２実施例のトンネル内道路用照明装置２００は、第１実施例のトンネル内道路用照明装置１００の集光レンズ１２０の表面に複数の光拡散用溝２２１を形成したものであり、多くの要素について第１実施例のトンネル内道路用照明装置１００と共通するので、共通する事項については詳しい説明を省略し、下２桁が共通する２００番台の符号を付すのみとする。
【００３８】
図６（Ａ）および図６（Ｂ）に示すように、本発明の第２実施例のトンネル内道路用照明装置２００の集光レンズ２２０が、トンネルＴ内の道路幅方向Ｗに延設された複数の光拡散用溝２２１を有している。
これにより、集光レンズ２２０の表面の凹凸の斜面で光Ｌが道路進行方向前後に拡散される。
【００３９】
具体的には、図６（Ｃ）に示すように、光拡散用溝２２１を有していない構造（破線で示す曲線）と比べて、光拡散用溝２２１の延設方向と直交する道路進行方向前後両側に配光が分散され、ピークが低くなり、分布の山の裾が高くなる。
ここで、図６（Ｃ）の縦軸が表すのは、光度（ｃｄ）であり、横軸が表すのは、発光ダイオード２１０の垂直方向を０°としたときの発光ダイオード２１０に対する道路進行方向Ｄでの傾きである。
この傾きは、−側が道路進行方向後側であり、＋側が道路進行方向前側である。
【００４０】
そして、図６（Ｄ）に示すように、発光位置から距離が近くて照度が高くなりやすい道路進行方向Ｄでのトンネル内道路用照明装置２００の位置する箇所より道路進行方向前側の路面Ｇの照度が、光拡散用溝２２１を有していない構造（破線で示す曲線）と比べて、低くなる。
さらに、図６（Ｄ）に示すように、発光位置から距離が遠くて照度が低くなりやすい道路進行方向Ｄさらに前側および後側での路面Ｇの照度が、光拡散用溝２２１を有していない構造（破線で示す曲線）と比べて、高くなる。
なお、本発明の第２実施例では、光拡散用溝２２１を集光レンズ２２０の路面Ｇ側である表面に形成したが、発光ダイオード２１０側である裏面に形成してもよい。
【００４１】
このようにして得られた本発明の第２実施例であるトンネル内道路用照明装置２００は、集光レンズ２２０が、道路幅方向Ｗに延設された複数の光拡散用溝２２１を有していることにより、道路進行方向隣の他のトンネル内道路用照明装置２００との間で道路進行方向Ｄでの路面Ｇの明暗のムラを低減して照度均斉度を高めることができるなど、その効果は甚大である。
【実施例３】
【００４２】
続いて、本発明の第３実施例であるトンネル内道路用照明装置３００について、図７（Ａ）乃至図７（Ｃ）に基づいて説明する。
ここで、図７（Ａ）は、図３（Ｂ）に対応する本発明の第３実施例のトンネル内道路用照明装置３００を示す図であり、図７（Ｂ）は、図７（Ａ）に示す符号７Ｂで視た図であり、図７（Ｃ）は、図７（Ｂ）に示す符号７Ｃ−７Ｃで視た断面図である。
【００４３】
第３実施例のトンネル内道路用照明装置３００は、第１実施例のトンネル内道路用照明装置１００の集光レンズ１２０の路面Ｇ側に光透過性シート部材３３０を配設したものであり、多くの要素について第１実施例のトンネル内道路用照明装置１００と共通するので、共通する事項については詳しい説明を省略し、下２桁が共通する３００番台の符号を付すのみとする。
【００４４】
図７（Ａ）乃至図７（Ｃ）に示すように、本発明の第３実施例のトンネル内道路用照明装置３００は、発光ダイオード３１０より路面Ｇ側に配設された光透過性シート部材３３０を備えている。
さらに、この光透過性シート部材３３０が、道路幅方向Ｗに延設された複数の光拡散用溝３３１を有している。
【００４５】
これにより、第２実施例のトンネル内道路用照明装置２００の作用効果と同様、光透過性シート部材３３０の面の凹凸の斜面で光Ｌが道路進行方向前後に拡散される。
また、第２実施例の集光レンズ２２０と併用することにより、光Ｌが道路進行方向前後により拡散される。
なお、本発明の第３実施例では、光拡散用溝３３１を光透過性シート部材３３０の路面Ｇ側である表面に形成したが、発光ダイオード３１０側である裏面に形成してもよい。
また、光透過性シート部材３３０を集光レンズ３２０よりも路面Ｇ側に設けたが、光透過性シート部材３３０を集光レンズ３２０と発光ダイオード３１０との間に設けてもよい。
【００４６】
このようにして得られた本発明の第３実施例であるトンネル内道路用照明装置３００は、発光ダイオード３１０より路面Ｇ側に配設された光透過性シート部材３３０を備え、この光透過性シート部材３３０が、道路幅方向Ｗに延設された複数の光拡散用溝３３１を有していることにより、道路進行方向隣の他のトンネル内道路用照明装置３００との間で道路進行方向Ｄでの路面Ｇの明暗のムラをより低減して照度均斉度をより高めることができるなど、その効果は甚大である。
【実施例４】
【００４７】
続いて、本発明の第４実施例であるトンネル内道路用照明装置４００について、図８（Ａ）乃至図８（Ｃ）に基づいて説明する。
ここで、図８（Ａ）は、図３（Ａ）に対応する本発明の第４実施例のトンネル内道路用照明装置４００を示す図であり、図８（Ｂ）は、本発明の第４実施例であるトンネル内道路用照明装置４００の配光分布図であり、図８（Ｄ）は、本発明の第４実施例であるトンネル内道路用照明装置４００が路面Ｇを照らした際の路面照度分布図である。
【００４８】
第４実施例のトンネル内道路用照明装置４００は、第１実施例のトンネル内道路用照明装置１００の集光レンズ１２０の中心１２０Ｃを発光ダイオード１１０の中心１１０Ｃに対して道路幅方向他端Ｅ２側にも偏倚させたものであり、多くの要素について第１実施例のトンネル内道路用照明装置１００と共通するので、共通する事項については詳しい説明を省略し、下２桁が共通する４００番台の符号を付すのみとする。
【００４９】
本発明の第４実施例のトンネル内道路用照明装置４００は、発光素子の一例である発光ダイオード４１０が、トンネルＴ内の道路幅方向中央Ｃを基準とした道路幅方向一端Ｅ１側の路面Ｇより上方に配設されている。
さらに、図８（Ａ）に示すように、集光レンズ４２０の中心４２０Ｃが、発光ダイオード４１０の中心４１０Ｃに対して道路幅方向他端Ｅ２側にも偏倚して構成されている。
【００５０】
これにより、図８（Ｂ）に示すように、道路幅方向他端Ｅ２側に偏倚していない構造（破線で示す曲線）と比べて、発光ダイオード４１０を基準とした配光である光度（光Ｌの放射強度）の分布のピークが道路幅方向他端Ｅ２側に偏る。
言い換えると、光度分布のピークの強い光Ｌの射す目標位置が道路幅方向他端Ｅ２の内側近傍となる。
ここで、図８（Ｂ）の縦軸が表すのは、光度（ｃｄ）であり、横軸が表すのは、発光ダイオード４１０の垂直方向を０°としたときの発光ダイオード４１０に対する道路幅方向Ｗでの傾きである。
この傾きは、−側が道路幅方向一端Ｅ１側であり、＋側が道路幅方向他端Ｅ２側である。
【００５１】
そして、図８（Ｃ）に示すように、道路幅方向他端Ｅ２側に偏倚していない構造（破線で示す曲線）と比べて、道路幅方向他端Ｅ２側の路面Ｇの照度が高くなり、道路幅方向一端Ｅ１側の路面Ｇの照度が低くなる。
言い換えると、発光位置から距離が最も遠くて照度が最も低くなりやすい道路幅方向他端Ｅ２の内側近傍の照度が、道路幅方向他端Ｅ２側に偏倚していない構造（図８（Ｃ）の破線で示す曲線）と比べて、高くなる。
ここで、図８（Ｃ）の縦軸が表すのは、路面照度（Ｌｘ）であり、横軸が表すのは、道路幅方向Ｗでの路面Ｇ上の位置である。
【００５２】
さらに、図８（Ｂ）に示すように、光度分布のピークより道路幅方向他端Ｅ２側（図８（Ｂ）横軸の＋側）の曲線の傾きが、道路幅方向他端Ｅ２側に偏倚していない構造（破線で示す曲線）と比べて、急になる。
そして、図８（Ｃ）に示すように、道路幅方向他端Ｅ２側に偏倚していない構造（破線で示す曲線）と比べて、道路幅方向他端Ｅ２よりも外側へはみ出る光Ｌの量が少なくなる。
言い換えると、トンネル内壁面ＴＷに当たる光Ｌの量が、道路幅方向他端Ｅ２側に偏倚していない構造（破線で示す曲線）と比べて、減る。
【００５３】
また、図８（Ｂ）に示すように、光度分布のピークより道路幅方向一端Ｅ１側（図８（Ｂ）横軸の−側）の曲線の傾きが、道路幅方向他端Ｅ２側に偏倚していない構造（破線で示す曲線）と比べて、緩やかになり曲線の水準が低くなる。
そして、図８（Ｃ）に示すように、発光位置から距離が最も近くて照度が最も高くなりやすい道路幅方向一端Ｅ１側の照度が、道路幅方向他端Ｅ２側に偏倚していない構造（破線で示す曲線）と比べて、低くなる。
【００５４】
このようにして得られた本発明の第４実施例であるトンネル内道路用照明装置４００は、発光素子の一例である発光ダイオード４１０が、トンネルＴ内の道路幅方向中央Ｃを基準とした道路幅方向一端Ｅ１側の路面Ｇより上方に配設され、集光レンズ４２０の中心４２０Ｃが、発光ダイオード４１０の中心４１０Ｃに対して道路幅方向他端Ｅ２側にも偏倚して構成されていることにより、道路幅方向他端Ｅ２側に偏倚していない構造と比べて、道路幅方向Ｗでの路面Ｇの明暗のムラを低減して照度均斉度を高めて、運転者による路面Ｇの障害物の視認性を高めて安全性を高めることができるともに、照明範囲の無駄を減らして照明効率を上げることができるなど、その効果は甚大である。
【符号の説明】
【００５５】
１００、２００、３００、４００  ・・・  トンネル内道路用照明装置
１１０、２１０、３１０、４１０  ・・・  発光ダイオード（発光素子）
１１０Ｃ、              ４１０Ｃ・・・  発光ダイオードの中心
１２０、２２０、３２０、４２０  ・・・  集光レンズ
１２０Ｃ、              ４２０Ｃ・・・  集光レンズの中心
２２１                  ・・・  光拡散用溝
３３０          ・・・  光透過性シート部材
３３１          ・・・  光拡散用溝
７００                          ・・・  従来技術のトンネル内道路用照明装置
７１０                          ・・・  発光ダイオード
Ｃ                              ・・・  道路幅方向中央
Ｄ                              ・・・  道路進行方向
Ｅ１                            ・・・  道路幅方向一端
Ｅ２                            ・・・  道路幅方向他端
Ｇ                              ・・・  路面
Ｌ                              ・・・  光
Ｔ                              ・・・  トンネル
ＴＷ                            ・・・  トンネル内壁面
Ｗ                              ・・・  道路幅方向
【図１】
2014229478.tif 000003
【図２】
2014229478.tif 000004
【図３】
2014229478.tif 000005
【図４】
2014229478.tif 000006
【図５】
2014229478.tif 000007
【図６】
2014229478.tif 000008
【図７】
2014229478.tif 000009
【図８】
2014229478.tif 000010
【図９】
2014229478.tif 000011